(57)【特許請求の範囲】
【請求項１】
遊技機に備え付けられる灰皿装置であって、
上面が開口した箱状の灰皿部と、該灰皿部の左右の側壁部の外側に形成された軸受部とを有し、上面部の奥部には被係止部が縁辺状に突設形成された灰皿部材と、
背面部と該背面部から略直角に延設された左右の側面部とにより画定される灰皿収納部と、遊技における入賞時に払い出される遊技媒体を貯留する受皿部とを有し、前記左右の側面部には前記遊技機の前後方向に摺動溝が各々形成され、前記背面部の上面側には前記被係止部が係止される係止部が縁辺状に形成され、前記背面部の裏面には摺動軸と爪部を有する規制片とが突出形成された受皿部材と、
背板部と、該背板部の両端部から略直角に延設された左右の側板部と、該左右の側板部の先端部から互いに対向する向きに突出形成された一対の支軸とを有し、前記背板部には前記摺動軸に対応した位置に挿通孔が穿設形成され、対応する前記摺動溝から前記灰皿収納部内に各々突出させた前記一対の支軸により対応する前記軸受部に軸支させて前記灰皿部材を回動可能に支持するとともに、前記摺動溝に前記左右の側板部が前記遊技機の前後方向に摺動可能に各々保持され、かつ、前記挿通孔に前記摺動軸が摺動可能に挿通され、前記規制片の前記爪部が前記背板部の裏面側に位置して前記背面部から離間する向きの摺動距離が規制された支持部材と、
前記摺動軸に遊挿され、前記灰皿部材を前記背面部側へ常時付勢する付勢部材とを備え、
灰皿使用時には前記係止部が前記被係止部を係止して前記灰皿部材の回動が禁止され、前記付勢部材の付勢力に抗して前記灰皿部材が前方に所定距離以上摺動されたときに前記係止部と前記被係止部との係合が開放されて前記灰皿部材が回動可能な状態となる
ことを特徴とする遊技機の灰皿装置。
【請求項２】
前記灰皿収納部の前記背面部に、該灰皿収納部側から前記付勢部材を視認可能な貫通孔が形成されてなる
ことを特徴とする請求項１記載の遊技機の灰皿装置。
【請求項３】
前記左右の側壁部には、前記支持部材の各前記支軸を対応する前記軸受部に案内するテーパ面が各々形成されている
ことを特徴とする請求項１又は請求項２に記載の遊技機の灰皿装置。
【発明の詳細な説明】
【技術分野】
【０００１】
本発明は、スロットマシンやパチンコ機等の遊技機に備え付けられる灰皿装置に関する。
【背景技術】
【０００２】
従来、スロットマシンやパチンコ機等の遊技機の前面側下方部には、遊技者の遊技中の喫煙に供するための灰皿装置が設けられている。
【０００３】
一般的にこのような遊技機の灰皿装置は、灰皿装置を遊技機に固定してしまうと灰皿の清掃作業等が煩雑になるため、上面が開口した箱状の灰皿部材と、この灰皿部材が収納される灰皿収納部材と、この灰皿収納部材の灰皿収納部において灰皿部材を回動可能に支持する支持部材とから構成されている。
【０００４】
上述のように構成された灰皿装置は、遊技者が灰皿を使用しているときは、煙草の灰や吸殻を灰皿部材の箱状の凹部に溜めておき、遊技店の係員による清掃の際には灰皿部材に溜まった灰や吸殻が自然落下する位置に灰皿部材を回動して吸殻等を回収し、回収後速やかに元の位置に反転回動することにより再び灰皿として使用可能な状態とすることができる。このような技術については、例えば下記の特許文献１に開示されている。
【０００５】
【特許文献１】特許第２７００１９９号公報
【発明の開示】
【発明が解決しようとする課題】
【０００６】
しかしながら、このような従来の灰皿装置は、灰皿部材の清掃や吸殻等の回収作業の利便性を考慮して、灰皿部材が使用時の位置から吸殻等の回収時の位置へ容易に回動可能になっているために、例えば、遊技者が遊技中に脚を組む或いは組み替えるとき又は手で受け皿の遊技媒体を操作しようとしたときなどに、意図せず膝や手指などが灰皿部材を回動させて灰や吸殻を撒き散らしてしまうという課題があった。
【０００７】
そして飛散した灰や吸殻が遊技者の衣服や遊技店の床面を汚損するだけではなく、完全に消火されていない吸殻等が飛散した場合には、遊技者の衣服を焼損したり遊技者に火傷を負わせたりという事故を生じさせることがあった。
【０００８】
本発明はこのような課題を解決するためになされたものであり、簡単な構成によって、意図しない灰皿部材の回動による事故を防止し、かつ吸殻等の回収作業も容易に行うことができる遊技機の灰皿装置を提供することを目的とする。
【課題を解決するための手段】
【０００９】
上述した課題を解決するために請求項１に記載の発明は、遊技機に備え付けられる灰皿装置であって、上面が開口した箱状の灰皿部と、該灰皿部の左右の側壁部の外側に形成された軸受部とを有し、上面部の奥部には被係止部が縁辺状に突設形成された灰皿部材と、背面部と該背面部から略直角に延設された左右の側面部とにより画定される灰皿収納部と、遊技における入賞時に払い出される遊技媒体を貯留する受皿部とを有し、前記左右の側面部には前記遊技機の前後方向に摺動溝が各々形成され、前記背面部の上面側には前記被係止部が係止される係止部が縁辺状に形成され、前記背面部の裏面には摺動軸と爪部を有する規制片とが突出形成された受皿部材と、背板部と、該背板部の両端部から略直角に延設された左右の側板部と、該左右の側板部の先端部から互いに対向する向きに突出形成された一対の支軸とを有し、前記背板部には前記摺動軸に対応した位置に挿通孔が穿設形成され、対応する前記摺動溝から前記灰皿収納部内に各々突出させた前記一対の支軸により対応する前記軸受部に軸支させて前記灰皿部材を回動可能に支持するとともに、前記摺動溝に前記左右の側板部が前記遊技機の前後方向に摺動可能に各々保持され、かつ、前記挿通孔に前記摺動軸が摺動可能に挿通され、前記規制片の前記爪部が前記背板部の裏面側に位置して前記背面部から離間する向きの摺動距離が規制された支持部材と、前記摺動軸に遊挿され、前記灰皿部材を前記背面部側へ常時付勢する付勢部材とを備え、灰皿使用時には前記係止部が前記被係止部を係止して前記灰皿部材の回動が禁止され、前記付勢部材の付勢力に抗して前記灰皿部材が前方に所定距離以上摺動されたときに前記係止部と前記被係止部との係合が開放されて前記灰皿部材が回動可能な状態となることを特徴とする。
【００１０】
この請求項１に記載の遊技機の灰皿装置は、遊技者が灰皿使用時には灰皿部材の回動が禁止され、吸殻等の回収時には支持部材とともに灰皿部材を前方に所定距離摺動させることにより灰皿部材の回動が許容されるように構成される。
【００１１】
また、灰皿部材を回動して吸殻等を回収後、灰皿部材を反転回動すると付勢部材の付勢力により灰皿部材が回動禁止となる位置に復帰して灰皿使用可能となるように構成される。
【００１２】
また、灰皿収納部の背面部の裏面に突出形成された摺動軸が、付勢部材が遊挿されて背板部の挿通孔に挿通され、摺動軸に沿って支持部材が摺動変位するように構成される。
【００１３】
このとき、規制片により、支持部材と灰皿収納部の背面部との距離が所定距離以下に規制される。
【００１４】
請求項２に記載の遊技機の灰皿装置は、前記請求項１に記載の遊技機の灰皿装置において、前記灰皿収納部の前記背面部に、この灰皿収納部側から前記付勢部材を視認可能な貫通孔が形成されてなることを特徴とする。この灰皿収納部の背面部に形成された貫通孔から付勢部材が視認可能な灰皿装置が構成される。
【００１５】
請求項３に記載の遊技機の灰皿装置は、前記請求項１又は請求項２に記載の遊技機の灰皿装置において、前記左右の側壁部には、前記支持部材の各前記支軸を対応する前記軸受部に案内するテーパ面が各々形成されていることを特徴とする。
【発明の効果】
【００１６】
請求項１に記載の遊技機の灰皿装置によれば、灰皿使用時には、灰皿部材が付勢部材の付勢力により常時灰皿収納部の背面部側へ付勢されるとともに、灰皿部材の回動を禁止するように灰皿収納部の係止部に灰皿部材の被係止部が係止されるので、遊技者の意図しない行為によって誤って灰皿部材が回動することを防止することができる。
【００１７】
また、灰皿清掃時には、付勢部材の付勢力に抗して支持部材を前方に所定距離摺動させて灰皿部材を移動させることで灰皿部材の回動が可能となるので、容易に灰皿部材を回動させて吸殻等の回収をすることができる。
【００１８】
さらに、灰皿部材を回動させて吸殻等を回収後、灰皿部材を反転回動させることで付勢部材の付勢力により自動的に灰皿部材が回動禁止となる灰皿使用時の位置に復帰するので、安全に灰皿を使用できる状態を維持することができる。
【００１９】
また、灰皿収納部の背面部の裏面に突出形成された摺動軸を、付勢部材を遊挿して支持部材の背板部に設けた挿通孔に挿通して構成しているので、この摺動軸と挿通孔が支持部材の摺動動作時のガイドとなり、支持部材の摺動動作を円滑にすることができる。
【００２０】
このとき、灰皿収納部の背面部に設けた規制片により、支持部材と灰皿収納部の背面部との距離が所定距離以下に規制されるので、支持部材と背面部の間にそれらの距離を離間する方向の付勢力を発生させた状態で付勢部材を組み込んでもこれらの部材がばらばらになることなくユニット化され、その後の組立て工程の作業性を向上させることができる。また、規制片が支持部材の摺動動作のガイドとして作用するので、支持部材の摺動動作を円滑にすることができる。
【００２１】
請求項２に記載の遊技機の灰皿装置によれば、上記請求項１に記載の遊技機の灰皿装置の効果に加えて、灰皿収納部側から付勢部材を視認可能な貫通孔を形成しているので、灰皿部材の組立作業において付勢部材の組込み忘れ等の作業ミスがあった場合、それを容易に発見することができる。
【発明を実施するための最良の形態】
【００２３】
以下、本発明に係る遊技機の灰皿装置の好適な一実施形態を、スロットマシンを例に図面を参照して説明する。なお、図１はスロットマシン１の外観構造を表した斜視図、図２は前扉３を開放した状態におけるスロットマシン１の内部構造を表した図である。図３は、スロットマシン１の制御システムを表したブロック図である。
【００２４】
図１において、スロットマシン１は、略矩形状の箱体である筐体２と、当該筐体２と蝶番機構により開閉可能に取り付けられた前扉３とを備えている。
【００２５】
前扉３の前面側は、上部パネル部４と下部パネル部５に略区分けされ、これらは視覚効果を高めてデザインされたいわゆる化粧板として、硬質プラスチックにより一体的に形成されている。更に、下部パネル部５の下方には、入賞時に払い出されるメダル（遊技媒体）を貯留する受皿部６ａが一体的に形成された受皿部材６が設けられている。
【００２６】
また、上部パネル部４と下部パネル部５との間には、遊技者側に突出し、ゲーム操作を行うためのスイッチ類が配置されている操作卓７が一体的に形成されている。なお、上部パネル部４、操作卓７、下部パネル部５、及び受皿部材６は、遊技者側に面し、これらによって「前面パネル部」が構成される。
【００２７】
上部パネル部４の中央には、硬質プラスチック板等で形成されたパネル面４１が設けられている。パネル面４１には、裏面側に設けられている図示しないランプを点灯させることで例えば入賞役への内部当選など遊技状態に関する情報を演出表示する遊技状態表示部や、複数の発光ダイオードを点灯させてドット画像を演出表示するドットマトリクス表示部や、スロットマシン１にクレジット（貯留）されているメダル数や入賞によって獲得したメダル数、又は入賞役への当選回数等の情報を数値表示する数値情報表示部等が設けられている。
【００２８】
上部パネル部４の上部には、レンズパネル４６ａの内部に高輝度発光ダイオード等の光源を内蔵する照明演出装置４６と、ゲームに係る効果音を発生させるスピーカを内蔵する演出用放音部４７ａ、４７ｂがそれぞれ配置されている。
【００２９】
また、演出用放音部４７ａ、４７ｂの間には、透明な硬質プラスチック板等が嵌め込まれて形成された表示窓４８ａに面して遊技機の演出装置として液晶表示演出装置４８が配置されている。なお、液晶表示演出装置４８は、ゲームの演出に係る映像やゲーム（遊技）に関する情報を主に表示する。
【００３０】
上部パネル部４の側部には、蛍光灯や高輝度発光ダイオードで形成された演出用照明部４９ａ、４９ｂが設けられている。ゲームの進行に応じて上述した照明演出装置４６、複数の演出用照明部４９ａ、４９ｂ等が点灯又は点滅することで、ゲームにおける視覚的な演出効果を高めるように形成されている。
【００３１】
操作卓７の上面右側には、メダルを投入するためのメダル投入口７１ａを有するメダル投入部７１が設けられている。また、当該上面の左側には、押しボタンスイッチである２個のベットボタン７２、７３が設けられている。
【００３２】
ベットボタン７２、７３はスロットマシン１の１ゲームに賭けるメダルの枚数を提示するためのボタンスイッチである。ゲームを開始する際に、ベットボタン７２が押圧操作されることで、貯留されているメダルから１枚のメダルがゲームに対して賭けられる。また、ベットボタン７２が２回押圧操作されることで２枚のメダルが賭けられ、ベットボタン７３が押圧操作されることで３枚の当該ゲームにメダルが賭けられる。なお、ベットボタン７３は、最大枚数のメダルを賭けることから、特に「マックスベットボタン」と呼ばれている。
【００３３】
操作卓７の前面左側には、図示しないリールの回転開始を指示するためのスタートレバー７５が設けられている。スタートレバー７５は、先端に球形の操作ノブを有する揺動可能な操作旱を備え、操作旱が傾倒操作されるとオン、操作旱から手が離されるとスプリングの付勢力によって自動的に元の位置に戻ってオフ状態となるスイッチユニットで形成されている。
【００３４】
また、操作卓７の中央には、各リールの回転停止をそれぞれ指示するためのストップボタン７６ａ、７６ｂ、７６ｃが各リールの配列に対応して並設されている。
【００３５】
さらに、操作卓７の前面の左隅には、ゲームに賭けられたメダルをキャンセルして払い出させることを指示するとともに、後述するメダルクレジット手段２１０（図３参照）が内部貯留したメダルを精算して払い出させることを指示するための精算ボタン７７が設けられている。
【００３６】
操作卓７の前面右側には、前扉３を開錠するための鍵が挿入される鍵穴７８が設けられている。スロットマシン１の管理者等が鍵穴７８に所定の鍵を挿入して開錠操作すると、蝶番機構によって筐体２に取り付けられている前扉３を前方へ開くことができ、また前扉３を筐体２側に閉じると、自動的にこれらを施錠するようになっている。
【００３７】
下部パネル部５には、スロットマシン１のモデルタイプを遊技者へ認識させる等のため、登場キャラクターの絵などを表示するパネル５１が設けられている。下部パネル部５の下側に配置された受皿部材６には、入賞時にメダルを排出するメダル払出口６１と、払い出されたメダルを貯留する受皿部６ａと、演出効果音を発生させるスピーカを内蔵する演出用放音部６２ａ、６２ｂがそれぞれ配置されている。
【００３８】
また、受皿部材６の左端側には、後に詳述する灰皿部材８０を収納支持する灰皿収納部６５が形成されている。この灰皿収納部６５は、背面部６５ａと、この背面部６５ａから略直角に延設された左右の側面部６５ｂ、６５ｃとによって画定される空間によって形成される。
【００３９】
次に、図２を参照して、筐体２の内部構造と前扉３の裏面構造とを説明する。同図において、筐体２内の上部には、スロットマシン１の全体動作を集中制御するＣＰＵ（マイコン）を備え硬質プラスチックのケースに収納された主制御基板２０が取り付けられている。
【００４０】
筐体２内の中央には、リール１０１ａ、１０１ｂ、１０１ｃを備えるリールユニット１００が設けられている。リールユニット１００は、前扉３が筐体２側に閉じられると前扉３の表示窓４２にリール１０１ａ、１０１ｂ、１０１ｃが対向するように、所定フレームに位置決めされて取り付けられている。なお、各リール１０１ａ、１０１ｂ、１０１ｃは、それぞれに内蔵されたステッピングモータによって回転駆動される。
【００４１】
また、リールユニット１００の上部には、各リールを回転駆動する上記ステッピングモータへ４相の駆動パルス信号を送出する回胴装置基板が取り付けられており、主制御基板２０が回胴装置基板に回胴駆動（励磁）パルスデータを送出することで、各リールの回転と制動及び停止の制御を行っている。
【００４２】
リールユニット１００の下方には、ホッパ装置２１と、ホッパ装置２１から溢れたメダルを収容するための補助貯留部２２と、主電源装置２３が設けられている。主電源装置２３の側面には、いわゆる配電盤に相当する電源装置基板２４が設けられている。更に、筐体２の上部右側の内壁に、遊技場に設置されている「ホールコンピュータ」と呼ばれる管理用コンピュータと接続可能な外部集中端子基板２５が取り付けられている。
【００４３】
次に、前扉３の裏面側上部には、本実施形態の要部となる照明演出装置４６の光源ユニット３００が複数配列されると共に、上述の演出用放音部４７ａ、４７ｂに対向してスピーカ３２ａ、３２ｂが取り付けられている。また、スピーカ３２ａ、３２ｂの間には、液晶表示演出装置４８が取り付けられている。更に、液晶表示演出装置４８の裏面側には、電気回路基板で形成されたサブ制御基板３０が取り付けられている。
【００４４】
なお、スロットマシン１全体の動作は、筐体２側に設けられている主制御基板２０によって統括制御されており、サブ制御基板３０は、液晶表示演出装置４８による演出映像の表示制御、照明演出装置４６及び演出用照明部４９ａ、４９ｂを使った演出効果照明制御、並びに演出用放音部４７ａ、４７ｂ、６２ａ、６２ｂを使った演出効果音制御など、ゲームの演出に係る制御を主に行っている。
【００４５】
サブ制御基板３０の下方には、リール１０１ａ、１０１ｂ、１０１ｃを目視させるための透明な表示窓が形成されたパネル面４１が配置され、パネル面４１の下方には、前面側のスタートレバー７５及びストップボタン７６ａ、７６ｂ、７６ｃ等の操作スイッチ類の出力信号を主制御基板２０へ転送する中継基板として機能する中央表示基板３３が設けられている。
【００４６】
中央表示基板３３の下方には、メダル選別装置３４が取り付けられている。メダル選別装置３４は、メダル投入部７１に投入されたメダルの適否を判別し振り分ける装置である。また、メダル選別装置３４はメダルセンサを内蔵しており、ゲームの待機状態等において正規のメダルが投入され、メダルセンサがこのメダルを検出することによって、メダル投入の受け付けを示す信号を主制御基板２０へ送出する。
【００４７】
メダル選別装置３４の装置本体の下方には、メダル選別装置３４によって振り分けられた正規のメダルを筐体２内に設けられているホッパ装置２１へ案内するガイド部材３５と、メダル選別装置３４により排除されたメダル（又は異物）をメダル排出口６１へ案内するガイド部材３６が設けられている。また、前扉３の裏面側下部には、ホッパ装置２１から排出されたメダルをメダル排出口６１へ案内するガイド部材３７が設けられている。更に、メダル排出口６１に隣接して、上述した演出用放音部６２ａ、６２ｂに対向するスピーカ３８ａ、３８ｂが取り付けられている。
【００４８】
次に、図３のブロック図を参照して、スロットマシン１に設けられている制御システムについて説明する。
【００４９】
図３において、主制御基板２０は、ＣＰＵ２００と、記憶部２０１と、メダルクレジット手段２１０とを備えている。
【００５０】
記憶部２０１は、ＲＯＭ、ＲＡＭ等の半導体メモリによって構成され、スロットマシンゲーム用のシステムプログラム２０２が予め記憶されている。主制御基板２０は、記憶部２０１に記憶されたシステムプログラム２０２に従ってＣＰＵ２００が演算処理を実行することで、スロットマシン１全体の動作を統括制御している。メダルクレジット手段２１０は、内部貯留するメダルの数であるクレジットをメモリに記憶する。
【００５１】
主制御基板２０には、ベットボタン７２、７３、スタートレバー７５、ストップボタン７６ａ、７６ｂ、７６ｃ、精算ボタン７７等の操作スイッチ類、メダル選別装置３４のメダルセンサ３４ａ、ホッパ装置２１等のメダル払出装置、及びサブ制御基板３０等が配線ケーブルで接続されている。
【００５２】
主制御基板２０は、前記操作スイッチ類やメダル選別装置３４からの出力信号によりゲームに係る操作を検出する。主制御基板２０は、動作モードがメダルベット待機状態となっている場合において、メダルセンサ３４ａがメダルを検出した場合、検出したメダルをゲームの賭数に加算する。
【００５３】
また、主制御基板２０は、動作モードがメダルクレジット入力待機状態となっている場合において、メダルセンサ３４ａがメダルを検出した場合、検出したメダルをメダルクレジット手段２１０のクレジットに加算する。ここで、メダルベット待機状態とは、１つのゲームが終了した後、当該ゲームにメダルが賭けられるのを待機している状態のことを示している。メダルクレジット入力待機状態とは、当該ゲームにメダルが賭けられた後、メダルクレジット手段２１０の前記クレジット数が最大値（例えば５０）になるまでの状態のことを示している。
【００５４】
主制御基板２０には各リール１０１ａ、１０１ｂ、１０１ｃに設けられる基準位置センサ１２０ａ、１２０ｂ、１２０ｃの検出信号が入力され、主制御基板２０は、各リールの基準となる回転位置を把握しながら、回胴装置基板１３０に所定の回胴駆動パルスデータを送出する。回胴装置基板１３０は、主制御基板２０からの回胴駆動パルスデータに従って各ステッピングモータ１１０ａ、１１０ｂ、１１０ｃを回転駆動することで、各リール１０１ａ、１０１ｂ、１０１ｃの回転及び停止の動作制御を行っている。
【００５５】
主制御基板２０は、入賞が確定した場合等において、ホッパ装置２１を制御することで、所定数のメダルを受皿部６ａに払い出す。
【００５６】
また、主制御基板２０は、精算ボタン７７が操作された場合、ゲームに賭けられたメダルをキャンセルしてホッパ装置２１に払い出させるとともに、メダルクレジット手段２１０が内部貯留したメダルを精算してホッパ装置２１に精算前のクレジット数のメダルを払い出させる。
【００５７】
サブ制御基板３０は、主制御基板２０からの制御信号に基づいて液晶表示演出装置４８、照明演出装置４６、演出用照明部４９ａ、４９ｂ、演出用放音部４７ａ、４７ｂ、６２ａ、６２ｂ等の演出装置２３０を制御駆動することで、遊技者の視覚や聴覚に訴える演出をゲームの進行に応じて行っている。
【００５８】
一方、主制御基板２０の記憶部２０１には、入賞抽選テーブル２０３及び内部抽選フラグ２０４が記憶されている。例えばＣＰＵ２００は、スタートレバー７５の操作を検出した時点で図示しない乱数発生装置から乱数値を取得し、入賞抽選テーブル２０３を参照することで、得られた乱数値に割り当てられた入賞役またはハズレを抽選する。そして、ＣＰＵ２００は、乱数値に対応する入賞役が存在すると、それを当該ゲームの入賞役として抽選結果を当選にし、当該入賞役を記憶部２０１の内部抽選フラグ２０４に記憶する。ここでは、かかる入賞役の抽選方法を「内部抽選」と呼んでいる。
【００５９】
次に、スロットマシン１におけるゲーム動作の概要を説明する。スロットマシン１は、先のゲームにおいて入賞しメダルの配当が完了した時、又は先のゲームにおいてハズレが確定すると待機状態となる。この待機状態においては、当該状態を遊技者に示唆するとともにゲーム操作を促す待機モードの演出が行われる。次に、遊技者がメダル投入部７１にメダルを投入し、もしくは、何れかのベットボタン７２、７３を押圧操作することで、スロットマシン１は、内部に貯留したメダル（クレジット）から当該ゲームに所定枚数のメダルが賭けられゲームを準備する。
【００６０】
ゲーム準備の状態でスタートレバー７５が傾倒操作されゲームが開始されると、主制御基板２０は、３個のリール１０１ａ、１０１ｂ、１０１ｃを一斉に回転させ始めるとともに、上述した内部抽選を実行する。内部抽選の結果は、内部抽選フラグ２０４に記憶される。
【００６１】
次に、遊技者により何れかのストップボタン７６ａ、７６ｂ、７６ｃが押圧操作されることで、リール１０１ａ、１０１ｂ、１０１ｃが停止し、主制御基板２０は、停止した各リールが表示する図柄と上述の内部抽選フラグ２０４に対応する入賞役に係る図柄の組合せとが一致しているかどうか判定する。
【００６２】
これら図柄の組合せが内部抽選の入賞役と一致し役への入賞が確定すると、スロットマシン１は、主制御基板２０によりメダルクレジット手段２１０の制御を行い、内部貯留しているメダルのクレジット数が所定の数になるまで、当該役の種類に応じて予め決められた配当数のメダルをクレジット数に加算する。さらに、スロットマシン１は、前記配当数と前記クレジット数の加算結果が前記所定の数を超過すると、この超過した数のメダルを受皿部６ａへ払い出す。
【実施例１】
【００６３】
次に、図４乃至図８を参照して本発明の灰皿装置の一実施形態について詳細に説明する。
【００６４】
図４は本実施形態に係る遊技機の灰皿装置の分解斜視図であり、図５は図４と反対方向から見た本実施形態に係る遊技機の灰皿装置の分解斜視図である。図６は図４、図５に示す灰皿装置の一部断面を示す上面図である。図４乃至図６において、入賞時に払い出される遊技媒体(メダル)を貯留する受皿部６ａを備えた受皿部材６の左端部には、背面部６５ａ及びこの背面部６５ａから延設された左右の側面部６５ｂ、６５ｃが一体的に成形されて略直方体状の空間を画定した灰皿収納部６５が形成されている。この背面部６５ａの上面側には後述する灰皿部材８０の被係止部８６が係止される係止部６５ｄが縁辺状に形成され、灰皿収納部６５と反対側の面には、図５に示すように、後述する支持部材９０の挿通孔９２ａ、９２ｂが挿通される摺動軸６７ａ、６７ｂが一体的に突出形成されている。これら摺動軸６７ａ、６７ｂの付け根の近傍には、灰皿収納部６５側から摺動軸６７ａ、６７ｂ側が監視できるような小径の貫通孔６８ａ、６８ｂが穿設形成されている。またこれら摺動軸６７ａ、６７ｂの間には、上下に一対の規制片６９ａ、６９ｂが一体的に突出形成されている。さらに左右の側面部６５ｂ、６５ｃには、後述する支持部材９０の側板部９３ａ、９３ｂが摺動可能に配置される摺動溝６６ｂ、６６ｃが穿設形成されている。
【００６５】
灰皿部材８０は耐熱性の硬質プラスチックを成型加工して作成され、一面が開口した箱状に形成された灰皿部８７と、その左右の側壁部８１ａ、８１ｂの外側に後述する支持部材９０の支軸９４ａ、９４ｂが軸支される軸受部８２ａ、８２ｂとを備えている。灰皿部材８０の上面部８５の奥部には、灰皿収納部６５を画定する背面部６５ａに形成された係止部６５ｄに係止される被係止部８６が縁辺状に突設形成されている。さらに灰皿部材８０の左右の側壁部８１ａ、８１ｂには支持部材９０の支軸９４ａ、９４ｂを軸受部８２ａ、８２ｂに案内するテーパ面８３ａ、８３ｂが形成されている。
【００６６】
灰皿部材８０を支持する支持部材９０は、略長方形状の背板部９１と、この背板部９１の両端部から略直角に延設された左右の側板部９３ａ、９３ｂとから構成され、プラスチック材によって一体成形されている。この支持部材９０の背板部９１には、灰皿収納部６５を画定する背面部６５ａの裏面に突出形成された摺動軸６７ａ、６７ｂが摺動可能に挿通される挿通孔９２ａ、９２ｂが穿設形成されている。また、左右の側板部９３ａ、９３ｂの先端部には、灰皿部材８０の左右の側壁部８１ａ、８１ｂに形成された軸受部８２ａ、８２ｂに軸支される支軸９４ａ、９４ｂが互いに対向するように突設形成されている。
【００６７】
符号９５ａ及び９５ｂは円筒形コイルばねを示し、これらの円筒形コイルばね９５ａ及び９５ｂは、灰皿収納部６５を画定する背面部６５ａの裏面に突設された摺動軸６７ａ、６７ｂに、支持部材９０との間に介設するようにそれらの中空部が遊挿されて、支持部材９０に支持される灰皿部材８０を上記背面部６５ａ側へ常時付勢する付勢部材として機能するものである。
【００６８】
本実施形態に係る灰皿装置は、例えば、以下に説明する手順で組立てられる。まず、灰皿収納部６５を画定する背面部６５ａの裏面に突出形成された摺動軸６７ａ、６７ｂの外周部に円筒形コイルばね９５ａ、９５ｂの中空部を遊挿し、これら円筒形コイルばね９５ａ、９５ｂを介設するように支持部材９０の挿通孔９２ａ、９２ｂに摺動軸６７ａ、６７ｂを挿通する。このとき支持部材９０の左右の側板部９３ａ、９３ｂは、灰皿収納部６５を画定する左右の側面部６５ｂ、６５ｃに穿設形成された摺動溝６６ｂ、６６ｃ内に配置され、左右の側板部９３ａ、９３ｂの先端部に突設成形された支軸９４ａ、９４ｂは灰皿収納部６５内に突出した状態となる。
【００６９】
支持部材９０を円筒形コイルバネ９５ａ、９５ｂを圧縮しながら前方へ押圧していくと、支持部材９０の背板部９１が規制片６９ａ、６９ｂのテーパ部を上下に拡開しながら前方に摺動し、規制片６９ａ、６９ｂの爪部を過ぎたところで規制片の拡開が弾性力により復帰するとともに、支持部材９０の後方（スロットマシン本体側）への移動（摺動）が規制される。
【００７０】
この状態で受皿部材６の前面側から灰皿収納部６５内に灰皿部材８０を挿入すると、挿入作業の途中で灰皿部材８０の左右の側壁部８１ａ、８１ｂの外側に設けられたテーパ面８３ａ、８３ｂに支持部材９０の支軸９４ａ、９４ｂの先端が当接する。その後も灰皿部材８０の挿入作業を続行すると支持部材９０の左右の側板部９３ａ、９３ｂが外側へ拡開するように弾性変形しながら、支軸９４ａ、９４ｂの先端部がテーパ面８３ａ、８３ｂ上を軸受部８２ａ、８２ｂに向けて案内される。灰皿部材８０の被係止部８６が背面部６５ａの係止部６５ｄに当接するまで挿入した後、支持部材９０の背板部９１を灰皿部材８０側へ、円筒形コイルばね９５ａ、９５ｂを若干圧縮するように押圧して移動させることにより支軸９４ａ、９４ｂが軸受部８２ａ、８２ｂの位置に到達し、拡開されていた支持部材９０の左右の側板部９３ａ、９３ｂが弾性力により元の形状に復帰して、支軸９４ａ、９４ｂが軸受部８２ａ、８２ｂ内に嵌入される。このようにして、灰皿部材８０が円筒形コイルばね９５ａ、９５ｂの付勢力により常時背面部６５ａ側へ付勢された状態で支持部材９０に支持され、本実施形態の灰皿装置が構成される。
【００７１】
なお、灰皿部材８０を灰皿収納部６５に挿入する際に背面部６５ａに形成された貫通孔６８ａ、６８ｂから円筒形コイルばね９５ａ、９５ｂの有無を目視にて確認する工程を経ることにより、円筒形コイルばね９５ａ、９５ｂの組み込み忘れ等の作業ミスを容易に発見することができる。
【００７２】
図７は本実施形態に係る灰皿装置を灰皿として通常使用している状態を示す図であり、図７（ａ）は灰皿装置の横断面図、図７（ｂ）は灰皿部材８０の係止状態を説明するための側面図である。なお、図中の符号は全て図４乃至図６の説明において使用したものと同一である。
【００７３】
図において、受皿部材６に形成された灰皿収納部６５には、煙草の灰や吸殻等を貯留する略箱状の灰皿部８７を備えた灰皿部材８０が収納されている。灰皿部材８０は、その左右の側壁部８１ａ、８１ｂに形成された軸受部８２ａ、８２ｂに支持部材９０の支軸９４ａ、９４ｂを軸支して、この支軸９４ａ、９４ｂを中心に回動可能に支持されている。但し、図７に示す状態では、灰皿収納部６５を画定する背面部６５ａと支持部材９０の背板部９１との間に介設された付勢部材である円筒形コイルばね９５ａ、９５ｂの付勢力により、図７（ｂ）に示すように、支持部材９０とともに灰皿部材８０は上記背面部６５ａ側に付勢されており、灰皿部材８０の被係止部８６が背面部６５ａの係止部６５ｄに係止されているため、灰皿部材８０の回動が禁止された状態となっている。
【００７４】
従って、遊技者が不用意に膝や手指を灰皿部材８０に接触させても灰皿部材８０が回動して灰皿部８７に貯留された吸殻等を撒き散らすことはなく、安全に灰皿装置が使用できるものである。
【００７５】
図８は本実施形態に係る灰皿装置を清掃する際の灰皿部材８０の動作を説明するための図であり、図８（ａ）は灰皿部材８０を図中矢印Ａ方向に引き出した状態を示す横断面図、図８（ｂ）は図８（ａ）の状態における灰皿部材８０の係止状態を説明するための側面図である。なお、図８においても図８（ｂ）の８０’及び８０”を除いて図中の符号は全て図４乃至図６の説明において使用したものと同一である。
【００７６】
図において、灰皿部材８０を円筒形コイルばね９５ａ、９５ｂの付勢力に抗して受皿部材６の前方（図中矢印Ａの向き）に所定距離（１〜２ｍｍ）以上引き出すと、灰皿部材８０とともに支持部材９０も前方に移動する。このとき背面部６５ａに突設された摺動軸６７ａ、６７ｂと支持部材９０の挿通孔９２ａ、９２ｂの作用、並びに背面部６５ａに突設された規制片６９ａ、６９ｂと支持部材９０の背板部９１の作用により支持部材の摺動動作がガイドされて支持部材が上下左右にぶれることなく円滑に摺動する。そして、図８（ｂ）に示すように、灰皿部材８０の被係止部８６と背面部６５ａの係止部６５ｄとの係合が開放され、灰皿部材８０が支持部材９０の支軸９４ａ、９４ｂを中心に回動可能な状態となる。
【００７７】
この状態で図８（ｂ）中符号８０’から８０”に示す位置に灰皿部材８０を回動させることにより、容易に灰皿部８７に貯留された吸殻等を回収することができる。
【００７８】
灰皿部材８０を８０”の位置まで約１８０度回動して吸殻等を回収した後、速やかに灰皿部材８０を反転回動して元の位置に戻し、図８（ｂ）の位置で灰皿部材８０を前方に引いている力を解放することにより、灰皿部材８０は円筒形コイルばね９５ａ、９５ｂの付勢力により、自動的に図７（ｂ）の位置に復帰し、引き続き灰皿装置として安全に使用できる状態となる。即ち、円筒形コイルばね９５ａ、９５ｂの付勢力による作用により、清掃の係員が意図的に灰皿部材８０を図７（ｂ）の位置に移動させなくても、自動的に図７（ｂ）の位置に戻るので、灰皿部材８０が図８（ｂ）の位置、即ち灰皿部材８０の回動が供された状態の位置に留まっていて、遊技者の不用意な行動から吸殻等を撒き散らすという不具合を生じさせることがない。
【００７９】
以上説明したように本発明に係る遊技機の灰皿装置においては、通常、灰皿使用時には、灰皿部材が付勢部材の付勢力により常時灰皿収納部の背面部側へ付勢されるとともに、灰皿部材の回動を禁止するように灰皿収納部の係止部に灰皿部材の被係止部が係止されるので、簡単な構成で遊技者の意図しない行為によって誤って灰皿部材が回動することを防止することができる。
【００８０】
また、灰皿清掃時には、付勢部材の付勢力に抗して支持部材を前方に所定距離以上摺動させて灰皿部材を移動させることで灰皿部材の回動が可能となるので、容易に灰皿部材を回動させて吸殻等の回収をすることができる。
【００８１】
さらに、灰皿部材を回動させて吸殻等を回収後、灰皿部材を反転回動させることで付勢部材の付勢力により自動的に灰皿部材が回動禁止となる灰皿使用時の位置に復帰するので、安全に灰皿を使用できる状態を維持することができる。
【００８２】
また、灰皿収納部の背面部に摺動軸を延設して、付勢部材を介して支持部材に設けた挿通孔に挿通して構成することができるので、この場合は、この摺動軸と挿通孔を支持部材の摺動動作時のガイドとして使用することができ、支持部材の摺動動作を円滑にすることができる。
【００８３】
なお、本発明の一実施形態として摺動軸を２本設ける例を示したが、摺動軸を設けることは必須ではない。また、必要に応じて１本又は３本以上の摺動軸を設けて構成することも可能であり、その形状も必ずしも円柱形状でなくても良い。
【００８４】
さらに、付勢部材を円筒形コイルばねで構成することができるので、この場合は、摺動軸の外周にこの円筒形コイルばねの中空部を遊挿して構成することができ、円筒形コイルばねが灰皿収納部の背面部と支持部材の背板部によって保持され、付勢部材を保持するための他の部材を必要としないので、灰皿装置の構成を簡素にすることができる。
【００８５】
この場合においても、付勢部材が円筒形コイルばねであることは必須ではなく、円錐形コイルばね、皿ばね、板ばね等の金属ばねやゴム等の弾性樹脂材を用いて構成してもよい。
【００８６】
なお、灰皿収納部の背面部に付勢部材の有無を目視で確認できる貫通孔を設けて構成することができるので、灰皿部材を灰皿収納部に挿入する際に背面部この貫通孔から円筒形コイルばね等の付勢部材の有無を目視にて確認する工程を加えることにより、付勢部材の組み込み忘れ等の作業ミスを容易に発見することができる。この場合も、貫通孔の位置、形状、個数は、灰皿収納部側から付勢部材が視認可能な範囲で任意に選択できるものであり上述の実施形態に限定されるものではない。
【００８７】
また、灰皿収納部の背面部に支持部材の摺動動作を規制する規制片を設けて構成することができるので、支持部材と灰皿収納部の背面部との距離を所定距離以下に規制することができ、支持部材と背面部の間にそれらの距離を離間する方向の付勢力を発生させた状態で付勢部材を組み込んでもこれらの部材がばらばらになることなくユニット化され、その後の組立て工程の作業性を向上させることができるとともに支持部材の摺動動作を安定させるためのガイドとすることもできる。この場合も、規制片の位置、形状、個数は上述の実施形態に限定されるものではない。
【産業上の利用可能性】
【００８８】
本発明は、スロットマシンに限らず、灰皿装置を備えたパチンコ機等その他の遊技機にも応用することができる。
【図面の簡単な説明】
【００８９】
【図１】本発明の一実施形態によるスロットマシンの外観構造を表した斜視図である。
【図２】本発明の一実施形態によるスロットマシンの内部構造を表した平面図である。
【図３】本発明の一実施形態によるスロットマシンの制御システムを表したブロック図である。
【図４】本発明の一実施形態に係る灰皿装置の分解斜視図である。
【図５】本発明の一実施形態に係る灰皿装置の分解斜視図である。
【図６】図４図、図５の一部断面を示す上面図である。
【図７】本発明の一実施形態に係る灰皿装置の横断面図及び側面図である。
【図８】本発明の一実施形態に係る灰皿装置の動作を説明するための図である。
【符号の説明】
【００９０】
１…スロットマシン、２…筐体、３…前扉、４…上部パネル部、
５…下部パネル部、６…受皿部材、６ａ…受皿部、７…操作卓、
２０…主制御基板、２１…ホッパ装置、２２…補助貯留部、
２３…主電源装置、２４…電源装置基板、２５…外部集中端子基板、
３０…サブ制御基板、３２ａ、３２ｂ…スピーカ、３３…中央表示基板、
３４…メダル選別装置、３４ａ…メダルセンサ、
３５、３６、３７…ガイド部材、３８ａ、３８ｂ…スピーカ、
４１…パネル面、４６…照明演出装置、４７ａ、４７ｂ…演出用放音部、
４８…液晶表示ユニット、４９ａ、４９ｂ…演出用照明部、５１…パネル、
６１…メダル払出口、６２ａ、６２ｂ…演出用放音部、６５…灰皿収納部、
６５ａ…背面部、６５ｂ、６５ｃ…側面部、６５ｄ…係止部
６６ｂ、６６ｃ…摺動溝、６７ａ、６７ｂ…摺動軸、
６８ａ、６８ｂ…貫通孔、６９ａ、６９ｂ…規制片、
７１…メダル投入部、７１ａ…メダル投入口、７２、７３…ベットボタン、
７５…スタートレバー、７６ａ、７６ｂ、７６ｃ…ストップボタン、
７７…精算ボタン、７８…鍵穴、
８０…灰皿部材、８１ａ、８１ｂ…側壁部、８２ａ、８２ｂ…軸受部、
８３ａ、８３ｂ…テーパ面、８５…上面部、８６…被係止部、
８７…灰皿部、
９０…支持部材、９１…背板部、９２ａ、９２ｂ…挿通孔、
９３ａ、９３ｂ…側板部、９４ａ、９４ｂ…支軸、
９５ａ、９５ｂ…付勢部材（円筒形コイルばね）、
１００…リールユニット、１０１ａ、１０１ｂ、１０１ｃ…リール、
１１０ａ、１１０ｂ、１１０ｃ…ステッピングモータ、
１２０ａ、１２０ｂ、１２０ｃ…基準位置センサ、１３０…回胴装置基板、
２００…ＣＰＵ、２０１…記憶部、２０２…システムプログラム、
２０３…入賞抽選テーブル、２０４…内部抽選フラグ、
２１０…メダルクレジット手段、２３０…演出装置
【図１】
0004582544.tif 000002
【図２】
0004582544.tif 000003
【図３】
0004582544.tif 000004
【図４】
0004582544.tif 000005
【図５】
0004582544.tif 000006
【図６】
0004582544.tif 000007
【図７】
0004582544.tif 000008
【図８】
0004582544.tif 000009